(57)【要約】【課題】清掃作業を実施し易い異物除去装置を提供すること。【解決手段】流体中に混入した異物を捕捉するフィルター部材と、フィルター部材を収容可能であり、且つ流体の流入口７０と流出口７２とを有する本体７と、本体７に対して着脱可能に取り付けられる蓋体８とを備える異物除去装置１５において、蓋体８の外側面の周方向に沿う複数箇所にフック部材が設けられており、本体７の外側面の周方向に沿う複数箇所にクランプ本体が設けられており、クランプ本体は、台座、操作レバー、及びジョイント部材を備え、操作レバーが台座に対して一端側が枢支されて起伏自在に取り付けられており、ジョイント部材が操作レバーの中間部に一端側が枢支されており、操作レバーが台座に対して倒伏状態にあるときに、ジョイント部材の他端側がフック部材に係合し、操作レバーが台座に対して起立状態にあるときに、ジョイント部材の他端側とフック部材との係合が解除される。【選択図】図２
2020171885.tif 000002
【特許請求の範囲】
【請求項１】
流体中に混入した異物を捕捉するフィルター部材と、該フィルター部材を収容可能であり、且つ流体の流入口と流出口とを有する本体と、該本体に対して着脱可能に取り付けられる蓋体とを備える異物除去装置において、
前記蓋体の外側面の周方向に沿う複数箇所にフック部材が設けられており、
前記本体の外側面の周方向に沿う複数箇所にクランプ本体が設けられており、
該クランプ本体は、台座、操作レバー、及びジョイント部材を備え、
前記操作レバーが前記台座に対して一端側が枢支されて起伏自在に取り付けられており、前記ジョイント部材が前記操作レバーの中間部に一端側が枢支されており、
前記操作レバーが前記台座に対して倒伏状態にあるときに、前記ジョイント部材の他端側が前記フック部材に係合し、前記操作レバーが前記台座に対して起立状態にあるときに、前記ジョイント部材の他端側と前記フック部材との係合が解除されることを特徴とする異物除去装置。
【請求項２】
前記蓋体の裏面側に補強用リングが設けられていることを特徴とする請求項１に記載の異物除去装置。
【請求項３】
前記蓋体に覗き窓部が設けられていることを特徴とする請求項１又は２に記載の異物除去装置。
【発明の詳細な説明】
【技術分野】
【０００１】
本発明は、流体中に混入した異物を除去する異物除去装置に関する。
【背景技術】
【０００２】
従来の異物除去装置としては、例えば、プールや循環式浴槽等の循環水利用施設において使用される集毛器や、井水、雨水などの用水処理において使用される除塵器などが知られている。
【０００３】
循環式浴槽では、水道水や温泉水の使用量を節約する目的で浴槽の湯を循環させて使用しているため、浴槽内の湯を清浄に保つための構造が必要となる。一般的な循環式浴槽は、集毛器、循環ポンプ、消毒装置、ろ過器、加熱器、循環用配管等を備える。浴槽から排出された湯は、循環用配管を通って、髪の毛などの異物が集毛器で除去され、消毒装置において塩素系薬剤等の消毒剤で消毒され、ろ過器で更に微細な物質（粒子等）がろ過されて、加熱器で適温に暖められた後、再び浴槽に戻される。
【０００４】
循環式浴槽の衛生管理に関する浴槽水の水質については、レジオネラ属菌が検出されないこと（１０ＣＦＵ／１００ｍＬ未満）という基準が設定されている。このため、ろ過器や循環用配管等の洗浄方法や、消毒剤の種類及び濃度といった種々の点について、厚生労働省より管理要領が示されている。その管理要領の一つとして、集毛器については、集毛器自体がレジオネラ属菌の供給源とならないように、内部の捕集フィルター等の清掃を、塩素系薬剤や過酸化水素溶液等の消毒剤を使用して、毎日行うことが義務付けられている。
【０００５】
従来の集毛器としては、例えば、以下の特許文献１に示されるように、複数のボルトとナットを使用することによって、蓋が本体に対して着脱可能に取り付けられているものが知られている。
【先行技術文献】
【特許文献】
【０００６】
【特許文献１】特開２００４−３１３８２１号公報
【発明の概要】
【発明が解決しようとする課題】
【０００７】
従来の集毛器では、内部の捕集フィルター等を清掃するために蓋を外す際、全てのボルトを緩めて取り外さなければならず、毎日の清掃作業を行うにあたって、多くの手間と時間とを強いられている。従って、本発明の目的は、清掃作業を実施し易い異物除去装置を提供することにある。
【課題を解決するための手段】
【０００８】
本発明の特徴は、流体中に混入した異物を捕捉するフィルター部材と、該フィルター部材を収容可能であり、且つ流体の流入口と流出口とを有する本体と、該本体に対して着脱可能に取り付けられる蓋体とを備える異物除去装置において、前記蓋体の外側面の周方向に沿う複数箇所にフック部材が設けられており、前記本体の外側面の周方向に沿う複数箇所にクランプ本体が設けられており、該クランプ本体は、台座、操作レバー、及びジョイント部材を備え、前記操作レバーが前記台座に対して一端側が枢支されて起伏自在に取り付けられており、前記ジョイント部材が前記操作レバーの中間部に一端側が枢支されており、前記操作レバーが前記台座に対して倒伏状態にあるときに、前記ジョイント部材の他端側が前記フック部材に係合し、前記操作レバーが前記台座に対して起立状態にあるときに、前記ジョイント部材の他端側と前記フック部材との係合が解除されることにある。
【０００９】
本発明によれば、操作レバーの上げ操作を実施することによって、本体から蓋体を取り外して、操作レバーの下げ操作を実施することによって、本体に蓋体を取り付けることができる。従って、本体に対する蓋体の着脱作業を従来よりも簡単に行うことができ、異物除去装置の内部にあるフィルター部材等の清掃作業を実施し易い。
【００１０】
本発明においては、前記蓋体の裏面側に補強用リングが設けられていると好適である。
【００１１】
本構成によれば、循環水利用施設において使用する際に集毛器の内部の圧力が増加した場合でも、補強用リングにより蓋体の剛性が高められているため、蓋体の歪曲が生じ難い。
【００１２】
本発明においては、前記蓋体に覗き窓部が設けられていると好適である。
【００１３】
本構成によれば、作業者は、蓋体を取り外すことなく、フィルター部材に捕集されている髪の毛等の異物の状態を、覗き窓部を介して容易に確認することができる。
【図面の簡単な説明】
【００１４】
【図１】循環水利用施設の概略構成図である。
【図２】集毛器（第１実施形態）の斜視図である。
【図３】集毛器（第１実施形態）の平面図である。
【図４】集毛器（第１実施形態）の側面図である。
【図５】第１実施形態におけるロック状態及びロック解除状態（破線部分）のトグルクランプの拡大斜視図である。
【図６】蓋体を外したときの集毛器（第１実施形態）の本体の斜視図である。
【図７】集毛器（第２実施形態）の斜視図である。
【図８】集毛器（第２実施形態）の平面図である。
【図９】集毛器（第２実施形態）の側面図である。
【図１０】第２実施形態におけるロック状態及びロック解除状態（破線部分）のトグルクランプの拡大斜視図である。
【図１１】蓋体を外したときの集毛器（第２実施形態）の本体の斜視図である。
【図１２】第２実施形態における蓋体の裏側の斜視図である。
【発明を実施するための形態】
【００１５】
以下の実施の形態では、本発明の異物除去装置の一例として、循環水利用施設において使用される集毛器について図面に基づいて説明する。
【００１６】
（循環水利用施設）
本実施形態の集毛器を適用可能な循環水利用施設としては、例えば、図１に示すように、プール施設１が挙げられる。プール施設１は、プール１０、循環用配管１１、集毛器１５、循環ポンプ１２、ろ過器１３、消毒装置１４を備える。
【００１７】
図１の矢印に示すように、プール１０から排出されたプール水は、循環用配管１１を通って、集毛器１５に流入して、プール水に混入した髪の毛、落ち葉、石、砂利、昆虫などの異物が除去され、次いで、ろ過器１３に流入して更に微細な物質（粒子等）が除去され、最後に、消毒装置１４において塩素系薬剤等の消毒剤で消毒された後、再びプール１０に戻される。尚、プール施設１については、屋内プール施設、屋外プール施設、温水プール施設等が挙げられ、特に限定されるものではない。
【００１８】
また、本実施形態の集毛器１５を適用可能な循環水利用施設としては、上述のプール施設１に限定されるものではなく、他にも例えば、公衆浴場や温泉浴場などの循環式浴槽が挙げられる。循環式浴槽の場合、循環用配管、集毛器、循環ポンプ、ろ過器、消毒装置に加えて、さらに加熱器（熱交換器）等を備える。浴槽から排出された湯は、循環用配管を通って、集毛器に流入して髪の毛などの異物が除去され、消毒装置において塩素系薬剤等の消毒剤で消毒され、ろ過器に流入して更に微細な物質（粒子等）が除去されて、加熱器で適温に暖められた後、再び浴槽に戻される。
【００１９】
（集毛器の第１実施形態）
図２〜図６には、集毛器の第１実施形態が示されている。
図２に示すように、本実施形態の集毛器１５は、有底円筒状のストレーナー６と、ストレーナー６を収容可能な有底円筒状の本体７と、本体７に対して着脱可能に取り付けられる有底円筒状の蓋体８とを備える。本実施形態における集毛器１５の本体７及び蓋体８の構成素材としては、例えば、繊維強化プラスチック（ＦＲＰ）を使用することができる。
【００２０】
ストレーナー６は、流体中の異物を捕捉するフィルター部材として機能するものであり、例えばメッシュかごのようものが挙げられる。本体７に対して出し入れし易いように、ストレーナー６に取っ手を設けるようにしても良い。ストレーナー６は、金属製のものが好ましいが、これに限定されるものではない。
【００２１】
図３及び図４に示すように、本体７は、流体の流入口としての入口ソケット７０と流体の流出口としての出口ソケット７２とを有する。入口ソケット７０は、本体７の側面の上側に設けられており、出口ソケット７２は、本体７の側面の下側に設けられている。また、排水用バルブ７４が、本体７の側面の下側であって、本体７の周方向における出口ソケット７２の反対側に設けられている。
【００２２】
図２、図４、図６に示すように、本体７の上端部分には、フランジ部７５と、外側に突出する箱状の固定部７６が形成されている。図６に示すように、フランジ部７５における蓋体８との接合面７７には、周方向に沿う周溝７８が形成されており、周溝７８には、Ｏリング等のシール部材７９が嵌め込まれている。また、本実施形態における固定部７６は、フランジ部７５に連設するようにして、周方向に等間隔で４箇所に形成されており、本体７の外側面の一部を構成する。
【００２３】
図３に示すように、蓋体８の天井部８０の中央部分には覗き窓部８１が設けられており、覗き窓部８１には、ガラス等の透明部材が嵌め込まれている。従って作業者は、蓋体８を取り外すことなく、ストレーナー６に捕集されている髪の毛等の異物の状態を、覗き窓部８１を介して容易に確認することができる。また、覗き窓部８１には、空気抜き弁８２が設けられている。
【００２４】
図４に示すように、ストレーナー６は、本体７の内側の下部に収容される。その際、ストレーナー６の上端部分は、入口ソケット７０の内周面の下端と略同じ高さか、あるいは入口ソケット７０の内周面の下端よりも低い位置に配置される。
【００２５】
循環水利用施設から排出されたプール水や湯等の流体は、本体７の入口ソケット７０から流入して、ストレーナー６を通過する。このとき、流体中に混入した髪の毛などの異物が、ストレーナー６によって捕捉される。ストレーナー６を通過した流体は、本体７の出口ソケット７２から流出する。
【００２６】
図３に示すように、本実施形態の集毛器１５には、フック型のトグルクランプ９が、周方向に等間隔で４箇所に設けられており、これらを操作することによって、蓋体８が本体７に対して着脱可能に取り付けられている。尚、トグルクランプ９の数については、本実施形態に限定されるものではなく、必要に応じて任意に変更して良いが、周方向に等間隔で、少なくとも３つ以上設けることが望ましい。尚、トグルクランプ９の数に応じて、固定部７６の数も変更される。
【００２７】
図５に示すように、本実施形態におけるトグルクランプ９は金属製であって、フック部材９０とクランプ本体９４とを備えて構成されている。
【００２８】
本実施形態のフック部材９０は、小板片の一部が折り曲げられることによって、クランプ本体９４のジョイント部材９３が係止する部分が形成されており、蓋体８の外側面にビスで固定されている。
【００２９】
クランプ本体９４は、台座９１、操作レバー９２、及びジョイント部材９３を備えて構成されている。本体７の固定部７６のそれぞれにおいて、クランプ本体９４が、その台座９１を介してビスで固定されている。
【００３０】
クランプ本体９４では、操作レバー９２が台座９１に対して一端側が枢支されて起伏自在に取り付けられており、ジョイント部材９３が操作レバー９２の中間部に一端側が枢支されている。操作レバー９２が台座９１に対して倒伏状態にあるときに、ジョイント部材９３の他端側がフック部材９０に係合し、操作レバー９２が台座９１に対して起立状態にあるときに、ジョイント部材９３の他端側とフック部材９０との係合が解除されるように構成されている。
【００３１】
図５の実線部分に示すように、ジョイント部材９３の他端側を、蓋体８のフック部材９０に係合させた状態で、起立状態にある操作レバー９２を倒伏状態になるよう回動操作することによって、トグルクランプ９がロックされる。これにより、蓋体８が、本体７のフランジ部７５の接合面７７と密着した状態で固定され、集毛器１５が密閉状態となる。一方、図５の破線部分に示すように、倒伏状態にある操作レバー９２を起立状態になるよう回動操作すると、ジョイント部材９３の他端側と蓋体８のフック部材９０との係合が外れる。これにより、トグルクランプ９のロックが解除されて、蓋体８を取り外せるようになる。
【００３２】
集毛器１５の内部の清掃作業を行う際は、先ず、倒伏状態にある操作レバー９２を起立状態にしてトグルクランプ９のロックを解除して蓋体８を取り外す。そして、中のストレーナー６を取り出して、捕集された髪の毛などの異物を除去し、さらに塩素系薬剤や過酸化水素溶液等の消毒剤を使用してストレーナー６や本体７の内側を消毒する。清掃が終わったら、ストレーナー６を再び本体７の中に入れる。最後に、蓋体８を本体７の上に被せて、蓋体８のフック部材９０と本体７のクランプ本体９４との位置を合わせて、ジョイント部材９３の他端側をフック部材９０に係合させた状態で操作レバー９２を倒伏状態にして、全てのトグルクランプ９をロックする。
【００３３】
本実施形態の集毛器１５における蓋体８及び本体７のそれぞれは、繊維強化プラスチック（ＦＲＰ）製の一体構造物であるため十分な剛性を保持しており、金型成形法等によって製造することが可能である。
【００３４】
（集毛器の第２実施形態）
図７〜図１２には、集毛器の第２実施形態が示されている。第２実施形態については、上述の第１実施形態と異なる構成を主に記載し、第１実施形態と同様の構成については同じ符号を付して説明を一部省略する。
【００３５】
図７に示すように、本実施形態の集毛器１５は、上述の第１実施形態と同様に、有底円筒状のストレーナー６と、ストレーナー６を収容可能な有底円筒状の本体７と、本体７に対して着脱可能に取り付けられる有底円筒状の蓋体８とを備える。本実施形態における集毛器１５の本体７及び蓋体８の構成素材としては、例えば、ステンレス鋼（ＳＵＳ）を使用することができる。
【００３６】
図８及び図９に示すように、本体７は、流体の流入口としての入口フランジ７１と流体の流出口としての出口フランジ７３とを有する。入口フランジ７１は、本体７の側面の上側に設けられており、出口フランジ７３は、本体７の側面の下側に設けられている。また、排水用バルブ７４が、本体７の側面の下側であって、本体７の周方向における出口フランジ７３の反対側に設けられている。
【００３７】
図７、図９、図１１に示すように、本体７の上端部分には、固定部７６として、小板状の金属部材が溶接されている。本実施形態における固定部７６は、周方向に等間隔で４箇所に形成されており、本体７の外側面の一部を構成する。また、図１１に示すように、本体７における蓋体８との接合面７７には、周方向に沿う周溝７８が形成されており、周溝７８には、Ｏリング等のシール部材７９が嵌め込まれている。
【００３８】
図８に示すように、蓋体８の天井部８０の中央部分には覗き窓部８１が設けられており、覗き窓部８１には、ガラス等の透明部材が嵌め込まれている。従って作業者は、蓋体８を取り外すことなく、ストレーナー６に捕集されている髪の毛等の異物の状態を、覗き窓部８１を介して容易に確認することができる。また、天井部８０には、空気抜き弁８２と２つの取っ手部８３が設けられている。
【００３９】
図１２に示すように、蓋体８を補強するための金属製の補強用リング８４が、蓋体８の裏面側にボルトとナットによって固定されている。これにより、循環水利用施設において使用する際に集毛器１５の内部の圧力が増加した場合でも、補強用リング８４により蓋体８の剛性が高められているため、蓋体８の歪曲が生じ難い。
【００４０】
図９に示すように、ストレーナー６は、本体７の内側の下部に収容される。その際、ストレーナー６の上端部分は、入口フランジ７１の内周面の下端と略同じ高さか、あるいは入口フランジ７１の内周面の下端よりも低い位置に配置される。
【００４１】
循環水利用施設から排出されたプール１０水や湯等の流体は、本体７の入口フランジ７１から流入して、ストレーナー６を通過する。このとき、流体中に混入した髪の毛などの異物が、ストレーナー６によって捕捉される。ストレーナー６を通過した流体は、本体７の出口フランジ７３から流出する。
【００４２】
図８に示すように、本実施形態の集毛器１５にも、上述の第１実施形態と同様に、フック型のトグルクランプ９が、周方向に等間隔で４箇所に設けられており、これらを操作することによって、蓋体８が本体７に対して着脱可能に取り付けられている。尚、トグルクランプ９の数については、本実施形態に限定されるものではなく、必要に応じて任意に変更して良いが、周方向に等間隔で、少なくとも３つ以上設けることが望ましい。尚、トグルクランプ９の数に応じて、固定部７６の数も変更される。
【００４３】
図１０に示すように、本実施形態におけるトグルクランプ９は金属製であって、フック部材９０とクランプ本体９４とを備えて構成されている。
【００４４】
本実施形態のフック部材９０は、直方体状であって、蓋体８の外側面に溶接されている。直方体の端部に設けられている溝によって、クランプ本体９４のジョイント部材９３が係止する部分が形成されている。
【００４５】
クランプ本体９４は、台座９１、操作レバー９２、及びジョイント部材９３を備えて構成されている。本体７の固定部７６のそれぞれにおいて、クランプ本体９４が、その台座９１を介してビスで固定されている。
【００４６】
トグルクランプ９のロック操作とロック解除操作、及び集毛器１５の内部の清掃作業については、上述の第１実施形態と同様に実施することができるため、説明を省略する。
【００４７】
（その他の実施形態）
上述の実施形態では、集毛器の構成素材として、繊維強化プラスチック（ＦＲＰ）及びステンレス鋼（ＳＵＳ）を例示したが、集毛器として使用可能な素材であれば、特にこれらに限定されるものではない。
【００４８】
本発明の異物除去装置は、上述の実施形態の集毛器に限らず、他にも例えば、井水、雨水などの用水処理において使用される除塵器等にも適用可能である。
【００４９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５０】
本発明の異物除去装置は、例えば、集毛器や除塵器等の技術分野において好適に利用することができる。
【符号の説明】
【００５１】
１  プール施設
１０  プール
１１  循環用配管
１２  循環ポンプ
１３  ろ過器
１４  消毒装置
１５  集毛器
６  ストレーナー
７  本体
７０  入口ソケット（流入口）
７１  入口フランジ（流入口）
７２  出口ソケット（流出口）
７３  出口フランジ（流出口）
７４  排水用バルブ
７５  フランジ部
７６  固定部
７７  接合面
７８  周溝
７９  シール部材
８  蓋体
８０  天井部
８１  覗き窓部
８２  空気抜き弁
８３  取っ手部
８４  補強用リング
９  トグルクランプ
９０  フック部材
９１  台座
９２  操作レバー
９３  ジョイント部材
９４  クランプ本体
【図１】
2020171885.tif 000003
【図２】
2020171885.tif 000004
【図３】
2020171885.tif 000005
【図４】
2020171885.tif 000006
【図５】
2020171885.tif 000007
【図６】
2020171885.tif 000008
【図７】
2020171885.tif 000009
【図８】
2020171885.tif 000010
【図９】
2020171885.tif 000011
【図１０】
2020171885.tif 000012
【図１１】
2020171885.tif 000013
【図１２】
2020171885.tif 000014